(57)【要約】【課題】携帯端末の充電器において、携帯端末の背面を平坦部に載置しても表示画面が傾かず、また携帯端末を載置しない状態で給電用接点に体が触れても感電することなく、携帯端末を載置して初めて通電するようにする。【解決手段】充電器本体２の一端に弾性を有する給電用接点１０を設け、他端に携帯電話機５０を保持するロックスイッチレバー１３を設ける。ロックスイッチレバー１３を捩りコイルバネ１４によって一方向に付勢する。充電器本体２の内部に通電用スイッチ１５を設ける。ロックスイッチレバー１３に、第１回転軸１１ｂを中心に充電器本体２に支持されたロックレバー１１と、第２回転軸１２ｂを中心に充電器本体２に支持されたスイッチレバー１２とを一体的に形成する。携帯電話機５０が装着されると、ロックレバー１１が携帯電話機５０を保持すると共に、スイッチレバー１２が通電用スイッチ１５を押圧して給電用接点１０へ通電するようにする。【選択図】図２
2009017741.tif 000002
【特許請求の範囲】
【請求項１】
携帯端末を装着して充電する携帯端末の充電器であって、
上記携帯端末を保持する充電器本体と、
上記充電器本体の一端に設けた弾性を有する給電用接点と、
上記充電器本体の他端に設けられ、上記携帯端末を保持するロックスイッチレバーと、
上記ロックスイッチレバーを一方向に付勢する弾性部材と、
上記充電器本体の内部に設けられた通電用スイッチとを備え、
上記ロックスイッチレバーは、
第１回転軸を中心に上記充電器本体に支持され、上記携帯端末を保持するロックレバーと、
第２回転軸を中心に上記充電器本体に支持され、上記通電用スイッチを押圧するスイッチレバーとが一体的に形成され、
上記携帯端末が装着されると、上記ロックレバーが該携帯端末を保持すると共に、スイッチレバーが上記通電用スイッチを押圧して上記給電用接点へ通電するように構成されている
ことを特徴とする携帯端末の充電器。
【請求項２】
請求項１に記載の携帯端末の充電器において、
上記ロックレバーは、上記携帯端末のロックレバー用凹部の周縁に押圧されて上記弾性部材を圧縮すると共に、該ロックレバー用凹部に入り込むことで、該弾性部材によって元の位置に戻る方向へ付勢されるように構成されている
ことを特徴とする携帯端末の充電器。
【請求項３】
請求項１又は２に記載の携帯端末の充電器において、
上記ロックスイッチレバーは、第１回転軸と第２回転軸との間の連結部で一体的に結合されている
ことを特徴とする携帯端末の充電器。
【請求項４】
請求項３に記載の携帯端末の充電器において、
上記連結部は、上記第１回転軸及び第２回転軸のいずれの断面よりも小さい断面を有する
ことを特徴とする携帯端末の充電器。
【請求項５】
請求項４に記載の携帯端末の充電器において、
上記連結部は、第１回転軸及び第２回転軸の軸方向に垂直な方向から見たときに、中央部分が中空の枠形状である
ことを特徴とする携帯端末の充電器。
【請求項６】
請求項１乃至５のいずれか１つに記載の携帯端末の充電器において、
上記ロックスイッチレバーは、樹脂成形品である
ことを特徴とする携帯端末の充電器。
【請求項７】
請求項６に記載の携帯端末の充電器において、
上記ロックスイッチレバーは、ポリオキシメチレンで成形されている
ことを特徴とする携帯端末の充電器。
【請求項８】
請求項６に記載の携帯端末の充電器において、
上記ロックスイッチレバーは、ポリ乳酸とＡＢＳ樹脂とを混合して成形されている
ことを特徴とする携帯端末の充電器。
【請求項９】
請求項１乃至８のいずれか１つに記載の携帯端末の充電器において、
上記弾性部材は、捩りコイルバネである
ことを特徴とする携帯端末の充電器。
【請求項１０】
請求項９に記載の携帯端末の充電器において、
上記捩りコイルバネは、ステンレス鋼線で形成されている
ことを特徴とする携帯端末の充電器。
【請求項１１】
請求項１乃至１０のいずれか１つに記載の携帯端末の充電器において、
上記給電用接点は、ステンレス鋼線で形成されている
ことを特徴とする携帯端末の充電器。
【請求項１２】
請求項１乃至１１のいずれか１つに記載の携帯端末の充電器において、
上記携帯端末は、携帯電話機である
ことを特徴とする携帯端末の充電器。
【発明の詳細な説明】
【技術分野】
【０００１】
携帯電話機などの携帯端末の充電器に関する。
【背景技術】
【０００２】
従来より、携帯端末、特に携帯電話機は、電池（バッテリー）によって電力を供給し、電気を消耗すれば充電が必要になる。この携帯電話機への充電は、コンセントからＡＣアダプター及びＡＣアダプターコードを介して直接携帯電話機に接続する場合と、コンセントからＡＣアダプター、ＡＣアダプターコード及び充電器を介して携帯電話機に接続する場合とがある。
【０００３】
後者の場合、携帯電話機を充電器に装着したときに、携帯電話機を安定的に保持すると同時にコンセントからの電気が通電することが要求される。
【０００４】
例えば、特許文献１では、無線電話機としての携帯電話の背面に形成された凸状部としてのストラップ取付部が嵌入する凹部を、卓上ホルダの携帯電話装着面に形成すると共に、該凹部内に前記ストラップ取付部の嵌入時に給電用接片への通電をＯＮにし且つ前記ストラップ取付部の非嵌入時に給電用接片への通電をＯＦＦにするスイッチを設けることにより、卓上ホルダに無線電話機を装着していない状態では、給電用接片への通電を遮断することができ、該給電用接片に対する金属片や人体の肌等の接触によるショートや火傷の発生を防止している。
【特許文献１】特開２００３−４７１６４号公報
【発明の開示】
【発明が解決しようとする課題】
【０００５】
しかしながら、上記特許文献１の携帯端末では、通電のオン／オフを携帯端末の背面から突設したストラップ取付部で行うため、この取付部が必須となる。このため、携帯端末の背面を下にして平坦部に載置した場合には、取付部のために斜めに傾いてしまい、表示画面を見る際には見づらいという問題がある。また携帯端末を落下させたときなどに、その背面の突起に応力が集中して筐体が破壊され易いという問題がある。
【０００６】
本発明は、かかる点に鑑みてなされたものであり、その目的とするところは、携帯端末の背面を平坦部に載置しても表示画面が傾かず、また携帯端末を載置しない状態で給電用接点に体が触れても感電することなく、携帯端末を載置して初めて通電するようにすることにある。
【課題を解決するための手段】
【０００７】
上記目的を達成するために、この発明では、弾性を有する給電用接点と、通電をオン／オフするロックスイッチレバーとで携帯端末を保持するようにした。
【０００８】
具体的には、第１の発明では、
携帯端末を装着して充電する携帯端末の充電器を対象とし、
上記充電器は、
上記携帯端末を保持する充電器本体と、
上記充電器本体の一端に設けた弾性を有する給電用接点と、
上記充電器本体の他端に設けられ、上記携帯端末を保持するロックスイッチレバーと、
上記ロックスイッチレバーを一方向に付勢する弾性部材と、
上記充電器本体の内部に設けられた通電用スイッチとを備え、
上記ロックスイッチレバーは、
第１回転軸を中心に上記充電器本体に支持され、上記携帯端末を保持するロックレバーと、
第２回転軸を中心に上記充電器本体に支持され、上記通電用スイッチを押圧するスイッチレバーとが一体的に形成され、
上記携帯端末が装着されると、上記ロックレバーが該携帯端末を保持すると共に、スイッチレバーが上記通電用スイッチを押圧して給電用接点へ通電するように構成されている。
【０００９】
上記の構成によると、弾性を有する給電用接点と、ロックスイッチレバーとで携帯端末を保持したときに通電するようにしているので、携帯端末の未装着時には、給電用接点には通電されない。携帯端末側に突起等を設けることなく、ショートや火傷の発生が防止されるので、携帯端末の外観を損ねず、携帯端末の背面を下にして平坦部に載置しても表示画面が傾くことはない。また、携帯端末を保持するロックレバーと通電用スイッチを押圧するスイッチレバーとを各々単品で成形する場合に比べ、部品代、組立工賃が安価になる。
【００１０】
第２の発明では、第１の発明において、
上記ロックレバーは、上記携帯端末のロックレバー用凹部の周縁に押圧されて上記弾性部材を圧縮すると共に、該ロックレバー用凹部に入り込むことで、該弾性部材によって元の位置に戻る方向へ付勢されるように構成されている。
【００１１】
上記の構成によると、携帯端末を充電器本体に装着するときに、そのロックレバー用凹部の周縁にロックレバーの先端が押圧されて弾性部材を圧縮し、完全に装着し終わると、弾性部材に付勢されながら、ロックレバーの先端がロックレバー用凹部に入り込んで、携帯端末が確実に装着される。
【００１２】
第３の発明では、第１又は第２の発明において、
上記ロックスイッチレバーは、第１回転軸と第２回転軸との間の連結部で一体的に結合されている。
【００１３】
上記の構成によると、ロックレバーとスイッチレバーとで異なる動きが発生しても、最も動きの少ない軸心に設けた連結部が捩れることで、ロックスイッチレバーは破損しない。
【００１４】
第４の発明では、第３の発明において、
上記連結部は、上記第１回転軸及び第２回転軸のいずれの断面よりも小さい断面を有する構成とする。
【００１５】
上記の構成によると、断面の小さい連結部が最も捩れやすいので、連結部で確実に捩れが発生する。
【００１６】
第５の発明では、第４の発明において、
上記連結部は、第１回転軸及び第２回転軸の軸方向に垂直な方向から見たときに、中央部分が中空の枠形状である。
【００１７】
上記の構成によると、連結部が変形しやすく、捩れが効果的に吸収される。
【００１８】
第６の発明では、第１乃至第５のいずれか１つの発明において、
上記ロックスイッチレバーは、樹脂成形品よりなる。
【００１９】
上記の構成によると、複雑な形状のロックスイッチレバーであっても同時に成形可能となり、部品単価が安くなると共に、組付が容易である。さらに、撓みやすい樹脂材料であれば、小さな力で捩れやすい。
【００２０】
第７の発明では、第６の発明において、
上記ロックスイッチレバーは、ポリオキシメチレンで成形されている。
【００２１】
上記の構成によると、ポリオキシメチレン(ＰＯＭ、ポリアセタール樹脂)は、長時間、広範囲の温度において、引張強度、伸び、衝撃強さ等の機械的特性をバランス良く保ち、非常に優れた耐疲労性を持つという特徴を持つ。繰り返し応力や連続振動使用にも疲労せず、安定した性能を保持し続けるので、捩り動作が繰り返されるロックスイッチレバーの材料として適している。
【００２２】
第８の発明では、第６の発明において、
上記ロックスイッチレバーは、ポリ乳酸とＡＢＳ樹脂とを混合して成形されている。
【００２３】
上記の構成によると、ポリ乳酸は、トウモロコシ、イモ類、ビート、サトウキビ等の植物から取り出したでんぷんを発酵することによって得られるＬ−乳酸をモノマーとして重合させて合成するポリマーであり、エコロジーの観点で優れ、また、剛性及び引張強度が高い。ＡＢＳ樹脂は、剛性、硬度、加工性、耐衝撃性、曲げ疲労性など機械的特性のバランスに優れ、良好な流動性を持ち、薄肉などの成型性が良いという特徴を持つ。このため、両者を混合して成形したロックスイッチレバーは、成形性が良く、剛性の高いものとなる。
【００２４】
第９の発明では、第１乃至第８のいずれか１つの発明において、
上記弾性部材は、捩りコイルバネとする。
【００２５】
上記の構成によると、携帯端末の装着時に捩りコイルバネを圧縮すると、その弾性により、ロックスイッチレバーが一方向（携帯端末を押圧する方向）に付勢されて、携帯端末の取り外し後に元の位置に戻る。
【００２６】
第１０の発明では、第９の発明において、
上記捩りコイルバネは、ステンレス線材で形成する。
【００２７】
上記の構成によると、耐久性及び強度が高く、捩りコイルバネの良好な性能が維持される。
【００２８】
第１１の発明では、第１乃至第１０のいずれか１つの発明において、
上記給電用接点は、ステンレス線材で形成されている。
【００２９】
上記の構成によると、ステンレス線材の弾性により、携帯端末との接続性が増し、良好な充電ができると共に、耐食性及び耐久性が高い。
【００３０】
第１２の発明では、第１乃至第１１のいずれか１つの発明において、
上記携帯端末は、携帯電話機とする。
【００３１】
上記の構成によると、頻繁に携帯されて充電が繰り返される携帯電話機が安全且つ簡単に充電される。
【発明の効果】
【００３２】
以上説明したように、携帯端末に突起を設けることなく、携帯端末を装着したときに、ロックスイッチレバーによって通電用スイッチをオンにして給電用接点へ通電可能に構成したことにより、携帯端末の背面を平坦部に載置しても表示画面が傾かず、また携帯端末を載置しない状態で給電用接点に体が触れても感電するのを防止することができる。また、ロックレバーとスイッチレバーとを一体で成形したことにより、部品代、組立工賃を安価にすることができる。
【発明を実施するための最良の形態】
【００３３】
以下本発明の実施形態について、図面を参照しながら詳細に説明する。
【００３４】
図１に本発明の実施形態にかかる充電器１を示す。図２に、図１のII−II線断面図を示し、（ａ）は、携帯電話機５０を充電器１に装着する直前を示し、（ｂ）は、携帯電話機５０を充電器１に装着する途中を示し、（ｃ）は、携帯電話機５０を充電器１に装着終了した状態を示す。
【００３５】
この充電器１は、上筐体３と下筐体４とで構成された縦長の充電器本体２で覆われている。充電器本体２は、例えば、樹脂成形品よりなる。詳しくは図示しないが、下筐体４の底部にビスを挿通させて上筐体３と下筐体４とが結合されている。
【００３６】
上筐体３の一端（下側）には、一対の接点側保持部５が膨出形成され、他端（上側）には、スイッチ側保持部６が膨出形成されている。上筐体３の左右には、側方保持部７がそれぞれ膨出形成されている。このような構成により、充電器本体２に携帯端末としての携帯電話機５０が安定して保持可能となっている。
【００３７】
上記各接点側保持部５には、接点用開口（図示せず）が形成され、この接点用開口から、弾性を有する給電用接点１０の先端側が露出している。給電用接点１０はステンレスの線材に金メッキ処理されたもので、経年的な接点不良を防止し、弾性を持つように構成されている。このことで、携帯電話機５０を装着したときに常に携帯電話機５０の端子部分（図示せず）を押さえるようにして、ステンレス線材の弾性により、携帯電話機５０との接続性が増し、良好な充電ができると共に、耐食性及び耐久性が高くなっている。
【００３８】
なお、上筐体３の中央には、携帯電話機５０を搭載したときのガタ防止や傷防止のためのクッション９が貼り付けられている。
【００３９】
スイッチ側保持部６には、ロックレバー用開口６ａが形成され、このロックレバー用開口６ａから携帯電話機５０を保持するロックレバー１１のロック用爪部１１ａが露出している。ロック用爪部１１ａは携帯電話機５０を保持する役目をする。ロックレバー用開口６ａの隣には、スイッチレバー用開口６ｂが形成され、このスイッチレバー用開口６ｂから、スイッチレバー１２のスイッチ用爪部１２ａが露出している。
【００４０】
図２に示すように、上記スイッチ側保持部６の内部には、通電用スイッチ１５が配設され、この通電用スイッチ１５には、レバー状のスイッチ端子１５ａが設けられている。
【００４１】
図３は、ロックスイッチレバーを示す斜視図であり、（ａ）は、携帯電話機５０を充電器１に装着する直前を示し、（ｂ）は、携帯電話機５０を充電器１に装着する途中を示し、（ｃ）は、携帯電話機５０を充電器１に装着終了した状態を示す。
【００４２】
上記ロックレバー１１は、円柱状の第１回転軸１１ｂを中心にスイッチ側保持部６に回転可能に支持され、スイッチレバー１２は、円柱状の第２回転軸１２ｂを中心にスイッチ側保持部６に回転可能に支持されている。ロックレバー１１とスイッチレバー１２とは、第１回転軸１１ｂと第２回転軸１２ｂとで連結され、携帯電話機５０を保持するロックスイッチレバー１３を構成している。
【００４３】
具体的には、ロックスイッチレバー１３は、第１回転軸１１ｂと第２回転軸１２ｂとの間の連結部１７で一体的に結合されている。連結部１７は、第１回転軸１１ｂ及び第２回転軸１２ｂのいずれの断面よりも小さい断面を有し、第１回転軸１１ｂ及び第２回転軸１２ｂの軸方向に垂直な方向から見たときに、中央部分が中空の枠形状となっている。図４に示すように、本実施形態における連結部１７の軸方向に垂直に破断したときの断面形状は、対向する位置に長方形が配置されたものよりなるが、これに限定されず、正方形、円形又は楕円形のいずれでも良い。
【００４４】
スイッチレバー１２のスイッチ用爪部１２ａはロックスイッチレバー１３を回転する役目をし、その後方側には、スイッチレバー１２が一定以上に回転するのを規制する回転規制部１２ｃが延びている。第２回転軸１２ｂの前側には、スイッチ端子１５ａを押圧するためのスイッチ押圧部１２ｄが延びている。
【００４５】
上記ロックスイッチレバー１３は、複雑な形状であっても同時に成形可能な樹脂成形品よりなるので、部品単価が安くなり、組付が容易であると共に、小さな力で捩れやすいものとなっている。
【００４６】
上記ロックスイッチレバー１３は、ポリオキシメチレンで成形されている。ポリオキシメチレン(ＰＯＭ、ポリアセタール樹脂)は、長時間、広範囲の温度において、引張強度、伸び、衝撃強さ等の機械的特性をバランス良く保ち、非常に優れた耐疲労性を持つという特徴を持つ。繰り返し応力や連続振動使用にも疲労せず、安定した性能を保持し続けるので、捩り動作が繰り返されるロックスイッチレバー１３の材料として適している。
【００４７】
上記ロックレバー１１の第１回転軸１１ｂの外周には、弾性部材としての捩りコイルバネ１４のコイル部分が挿入されている。捩りコイルバネ１４の一端は、ロックレバー１１に当接し、他端はスイッチ側保持部６に当接することで、ロックスイッチレバー１３は、ロック用爪部１１ａ及びスイッチ用爪部１２ａが露出する方向に付勢されている。捩りコイルバネ１４は、ステンレス線材で形成されている。このため、耐久性及び強度が高く、良好な性能が長く維持される。
【００４８】
以上のように構成することで、携帯電話機５０が装着されると、ロックレバー１１が携帯電話機５０を保持すると共に、スイッチレバー１２が通電用スイッチ１５を押圧して給電用接点１０へ通電するようになっている
−充電方法−
次に、本実施形態にかかる充電器１による充電方法について図面を使用しながら、説明する。
【００４９】
まず、図１の未使用状態では、通電用スイッチ１５が押圧されていないため、給電用接点１０には、通電されていない。このため、誤って金属片や手が給電用接点１０に触れたとしても、ショートや火傷のおそれはない。図３（ａ）に示すように、捩りコイルバネ１４によって、ロックレバー１１及びスイッチレバー１２は、携帯端末５０側（同図に矢印で示す）に付勢され、ロック用爪部１１ａとスイッチ用爪部１２ａとがそれぞれ露出している。
【００５０】
携帯電話機５０を充電するためには、まず、図２（ａ）に示すように、携帯電話機５０の給電端子部（図示せず）を給電用接点１０に押さえつけながら接続する。
【００５１】
次に、図２（ｂ）に示すように、給電用接点１０と反対側の側面（上側側面）を押さえながら装着する。携帯電話機５０の上側側面には、ロックレバー用凹部（図示せず）が凹陥されている。図３（ｂ）に示すように、ロック用爪部１１ａとスイッチ用爪部１２ａとは、携帯電話機５０のロックレバー用凹部の周縁（上側側面）に同図に矢印で示す方向に押圧されて捩りコイルバネ１４を圧縮する。
【００５２】
さらに、図２（ｃ）に示すように、充電器本体２の上側側面を押し込むと、図３（ｃ）に矢印で示すように、ロック用爪部１１ａは、捩りコイルバネ１４に付勢されながらロックレバー用凹部に入り込み、携帯電話機５０を保持する。一方、スイッチ用爪部１２ａは、ロックレバー用凹部に入り込まず、充電器本体２の上側側面に接触しながら矢印の方向に押さえ込まれた状態が維持される。このように、ロックレバー１１とスイッチレバー１２とで動きが異なる。そして、スイッチ押圧部１２ｄがスイッチ端子１５ａを押圧し、通電用スイッチ１５にスイッチが入って通電が開始され充電が始まる。
【００５３】
このように、弾性を有する給電用接点１０と、ロックスイッチレバー１３とで携帯電話機５０を保持したときに通電するようにしているので、携帯電話機５０側に突起等を設けることなく、ショートや火傷の発生が防止される。このため、携帯電話機５０の外観を損ねず、携帯電話機５０の背面を下にして平坦部に載置しても表示画面が傾くことはない。
【００５４】
また、ロックレバー１１とスイッチレバー１２とで異なる動きが発生しても、最も動きの少ない、軸心に設けた断面の小さい連結部１７の回転によって吸収される。
【００５５】
充電が終了すると、携帯端末５０を取り外せば、捩りコイルバネ１４に付勢されてロックレバー１１とスイッチレバー１２とが元の位置に戻り、通電用スイッチ１５がオフとなり、通電が終了する。
【００５６】
このようにして頻繁に携帯されて充電が繰り返される携帯電話機５０が充電器１によって安全且つ簡単に充電される。
【００５７】
−実施形態の効果−
したがって、本実施形態にかかる充電器１によると、携帯電話機５０に突起を設けることなく、携帯電話機５０を装着したときに、ロックスイッチレバー１３によって通電用スイッチ１５をオンにして給電用接点１０へ通電可能に構成したことにより、携帯電話機５０の背面を平坦部に載置しても表示画面が傾かず、また携帯電話機５０を載置しない状態で給電用接点１０に体が触れても感電するのを防止することができる。また、ロックレバー１１とスイッチレバー１２とを一体で成形したことにより、部品代、組立工賃を安価にすることができる。
【００５８】
また、ロックレバー１１とスイッチレバー１２とを同時に成形することで、部品単価が安価になる、スイッチレバー１２側のバネを廃止できる、組立作業タイムが短くなる、充電器１をユーザが扱う際に感電等の危険が減少する等の効果が生まれる。
【００５９】
（その他の実施形態）
本発明は、上記実施形態について、以下のような構成としても良い。
【００６０】
すなわち、上記実施形態では、第２回転軸１２ｂの前側に棒状のスイッチ押圧部１２ｄを形成したが、図５に示すように、スイッチレバー１２のスイッチ用爪部１２ａと反対側を大きく膨らませ、この部分をスイッチ押圧部１２ｄとしても良い。この場合には、スイッチ押圧部１２ｄ側に通電用スイッチ１５が配置される。
【００６１】
上記実施形態では、ロックスイッチレバー１３はポリオキシメチレンで成形したが、ポリ乳酸とＡＢＳ樹脂とを混合して成形してもよい。ポリ乳酸は、トウモロコシ、イモ類、ビート、サトウキビ等の植物から取り出したでんぷんを発酵することによって得られるＬ−乳酸をモノマーとして重合させて合成するポリマーであり、エコロジーの観点で優れ、また、剛性及び引張強度が高い。ＡＢＳ樹脂は、剛性、硬度、加工性、耐衝撃性、曲げ疲労性など機械的特性のバランスに優れ、良好な流動性を持ち、薄肉などの成型性が良いという特徴を持つ。このため、両者を混合して成形したロックスイッチレバーは、成形性が良く、剛性の高いものとなる。
【００６２】
上記実施形態では、携帯端末は、携帯電話機としたが、ＰＨＳ、ＰＤＡ、ＰＣ、モバイルツール、電子辞書、電卓、複写機等であっても良い。
【００６３】
なお、以上の実施形態は、本質的に好ましい例示であって、本発明、その適用物や用途の範囲を制限することを意図するものではない。
【産業上の利用可能性】
【００６４】
以上説明したように、本発明は、ＰＨＳ、ＰＤＡ、ＰＣ、モバイルツール、電子辞書、電卓、複写機等の携帯端末を充電する充電器について有用である。
【図面の簡単な説明】
【００６５】
【図１】本発明の実施形態にかかる充電器の斜視図である。
【図２】図１のII−II線断面図を示し、（ａ）は、携帯電話機を充電器に装着する直前を示し、（ｂ）は、携帯電話機を充電器に装着する途中を示し、（ｃ）は、携帯電話機を充電器に装着終了した状態を示す。
【図３】ロックスイッチレバーを示す斜視図であり、（ａ）は、携帯電話機を充電器に装着する直前を示し、（ｂ）は、携帯電話機を充電器に装着する途中を示し、（ｃ）は、携帯電話機を充電器に装着終了した状態を示す。
【図４】図３（ａ）のIV−IV線断面図である。
【図５】その他の実施形態にかかるロックスイッチレバーと通電用スイッチを示す斜視図であり、（ａ）は、携帯電話機を充電器に装着する直前を示し、（ｂ）は、携帯電話機を充電器に装着する途中を示し、（ｃ）は、携帯電話機を充電器に装着終了した状態を示す。
【符号の説明】
【００６６】
１      充電器
２      充電器本体
１０      給電用接点
１１      ロックレバー
１１ｂ    第１回転軸
１２      スイッチレバー
１２ｂ    第２回転軸
１３      ロックスイッチレバー
１４      捩りコイルバネ（弾性部材）
１５      通電用スイッチ
１７      連結部
５０      携帯電話機（携帯端末）
【図１】
2009017741.tif 000003
【図２】
2009017741.tif 000004
【図３】
2009017741.tif 000005
【図４】
2009017741.tif 000006
【図５】
2009017741.tif 000007